(57)【要約】【課題】分電盤４の設置スペースを増やすことなく、作業スペースを確保できる分電盤３の内機構造を提供することを目的としている。【解決手段】キャビネット３の背面１３にはレール固定具１５を設け、レール５をレール固定具１５に対向させ上下端部よりピン２０を挿入し、レール５、５とレール固定具１５を固定すると共に、結線作業時は左右どちらか一方のピン２０を外し、他方のピン２０を軸として内機７を回動可能とすることを特徴とする。【選択図】図１
2008236838.tif 000002
【特許請求の範囲】
【請求項１】
左右に配列したレールに機器取り付け板を渡し、該機器取り付け板に各種電気機器を配置して構成される内機をキャビネットに収納して構成される分電盤の内機取り付け構造であって、前記キャビネットの背面にはレール固定具を設け、前記レールをレール固定具に対向させ上下端部よりピンを挿入し、前記レールとレール固定具を固定すると共に、結線作業時は左右どちらか一方のピンを外し、他方のピンを軸として前記内機を回動可能とすることを特徴とする分電盤の内機構造。
【発明の詳細な説明】
【技術分野】
【０００１】
本発明は、左右に配列したレールに機器取り付け板を渡し、機器取り付け板に各種電気機器を配置して構成される内機をキャビネットに収納して構成される分電盤の内機構造に関するものである。
【背景技術】
【０００２】
従来キャビネット４１には側面４２が形成されており、キャビネット４１に内機４３を載置した状態で工場出荷され、設置現場にて内機４３の結線作業を行う。その際、キャビネット４１の側面４２に向かってブレーカ４４の端子口４５が配置され、ブレーカ４４とキャビネット４１側面４２との空間で作業を行なっていた。
【非特許文献１】２００５カワムラ総合カタログ電設資材編平成１７年５月１日発行
【発明の開示】
【発明が解決しようとする課題】
【０００３】
分電盤の設置面積は小さくしたいので、キャビネット４１は内機４３が収納可能で最小の配線スペースを加えた大きさであるため、実際結線作業をするための作業スペースは確保しづらい。キャビネット４１とブレーカ４４との間の狭い空間で結線作業を行わなくてはならないため、作業効率が悪く、結線本数が増えれば増えるほど作業が困難であった。
【課題を解決するための手段】
【０００４】
そこで本発明は、分電盤の設置スペースを増やすことなく、作業スペースを確保できる分電盤の内機構造を提供することを目的とし、その構造は、キャビネットの背面にはレール固定具を設け、レールをレール固定具に対向させ上下端部よりピンを挿入し、レールとレール固定具を固定すると共に、結線作業時は左右どちらか一方のピンを外し、他方のピンを軸として内機を回動可能とすることを特徴とする。
【発明の効果】
【０００５】
本発明に係る分電盤の内機構造は、キャビネットの背面にはレール固定具を設け、レールをレール固定具に対向させ上下端部よりピンを挿入し、レールとレール固定具を固定すると共に、結線作業時は左右どちらか一方のピンを外し、他方のピンを軸として内機を回動可能とするため、結線作業時にはキャビネットの壁面が障害にならない角度に内機を回転させ、作業の効率を大幅に向上させることができる。また、内機のスペースは変わらないため分電盤の設置スペースは増えることはない。
【発明を実施するための最良の形態】
【０００６】
本発明に係る分電盤の内機構造を図の添付図面に基づいて説明する。
【０００７】
主幹ブレーカ１や分岐ブレーカ２等の電気機器をキャビネット３に収納して分電盤４を構成する。左右に配列したレール５、５に機器取り付け板６を渡し、機器取り付け板６に電気機器を配置して内機７を構成する。電気機器間を導電バー８や電線で結線するので、そのような充電部に触れないようにするため、キャビネット３には内扉（図示せず）を設ける。内扉にはブレーカ１、２の操作ハンドル９、１０が突出可能であるようにハンドル孔のみ設けている。電気機器の種類によって高さが異なるので、機器取り付け板６には電気機器の高さを考慮したパネル１１等の部品を取り付けて電気機器を配置することもあり、どの操作ハンドル９、１０もハンドル孔から突出できるようにしている。分岐ブレーカ２の端子口１２は入線側と出線側と両側に向かって設けられており、分電盤に配置するとき、分岐ブレーカ２は端子口１２をキャビネット３の内側又は外側は向けて配置される。
【０００８】
分電盤４を構成するキャビネット３は、底面１３に側面１４を形成した箱体で、底面１３にはレール固定具１５を取り付ける。レール固定具１５は固定部１６と支持部１７とを形成し、固定部１６をキャビネット３の底面１３に溶接またはネジ止め等で固定される。支持部１７には挿通孔１８を設けている。
【０００９】
内機７を構成するレール５、５の上下端部にはそれぞれ挿入孔１９が設けられ、レール５、５はレール固定具１５を介して、レール固定具１５に設けられた挿通孔１８とレール５、５の挿入孔１９とにそれぞれピン２０を挿入し、キャビネット３に固定される。逆に内機７はピン２０をレール５、５から抜くことで取り外すことができる。ピン２０の端部にはつまみ部２１を設け、ピン２０を扱いやすくする。ピン２０のもう一端は挿通孔１８や挿入孔１９から容易に抜け落ちないような形状とする。
【００１０】
このとき、左右に配列されたレール５、５の片方のピン２０をレール５から抜くと、他方のレール５に挿入されているピン２０を軸として、内機７は回動可能である。分電盤４を設置した後、盤内の結線作業を行うとき、左右片方のピン２０を上下共にレール５から抜き、他方のレール５に挿入されているピン２０を軸として内機７を回動させる。従来作業には、キャビネット３の側面１４が邪魔であったが内機７の支持角度を変え、側面１４の上方で作業スペースを確保できる。
【００１１】
左右のレール５、５の固定方法は同じであるので、片方の結線作業が終わったら、内機７をキャビネット３に収納し抜いたピン２０を挿入した後、他方のピン２０を抜き内機７を回動動作により支持角度を変え作業を行う。
【００１２】
レール５を回動させ任意の角度で支持する支持構造は特に限定されるものではなく、例えば、ばねにより跳ね上がる構造であったり、ピンとレールとの間に嵌合板を用いて、ピンを回転させて嵌合板にレールを嵌合させる構造などが考えられる。
【００１３】
また、ピンとレールの形状も上述のものに限定されるものではなく、図３に示すように、つまみ２１の動作によりレール２２に出し入れできるピン２３を設け、着脱の際にはつまみ２１を上下させてピン２３を上下させる形状等、本発明の趣旨を逸脱しない範囲において適宜変更可能である。
【産業上の利用可能性】
【００１４】
分電盤を構成するキャビネットは従来と同じキャビネットを使用し、内機を構成する電気機器を減らしたり、設置面積を増やすことなく、十分な作業スペースを確保する。
【図面の簡単な説明】
【００１５】
【図１】キャビネットの内機構造を示す説明図である。
【図２】図１における要部拡大図である。
【図３】レールとピンの接続構造の変形実施例を示す説明図である。
【図４】従来のキャビネットの内機構造を示す説明図である。
【符号の説明】
【００１６】
１    主幹ブレーカ
２    分岐ブレーカ
３    キャビネット
４    分電盤
５    レール
６    機器取り付け板
７    内機
８    導電バー
９    操作ハンドル
１０  操作ハンドル
１１  パネル
１２  端子口
１３  底面
１４  側面
１５  レール固定具
１６  固定部
１７  支持部
１８  挿通孔
１９  挿入孔
２０  ピン
２１  つまみ
２２  レール
２３  ピン
【図１】
2008236838.tif 000003
【図２】
2008236838.tif 000004
【図３】
2008236838.tif 000005
【図４】
2008236838.tif 000006